(57)【要約】      （修正有）【課題】使用帯域がシステム帯域の一部の狭帯域に制限される場合であっても、複数の狭帯域のＣＳＩ（Ｃｈａｎｎｅｌ  Ｓｔａｔｅ  Ｉｎｆｏｒｍａｔｉｏｎ）を適切に測定及び／又は報告する。【解決手段】無線通信システム１におユーザ端末２０Ａ〜２０Ｃは、ある帯域に関する情報を上位レイヤシグナリングで受信し、ある帯域のＣＳＩ（Ｃｈａｎｎｅｌ  Ｓｔａｔｅ  Ｉｎｆｏｒｍａｔｉｏｎ）測定の開始または停止に関する情報を含む下り制御情報を受信する受信部と、ＣＳＩ測定の開始または停止に関する情報の受信後に、ある帯域におけるＣＳＩの測定を行い、測定の結果の送信を制御する制御部と、を有する。【選択図】図９
2020127246.tif 000002
【特許請求の範囲】
【請求項１】
ある帯域に関する情報を上位レイヤシグナリングで受信し、前記ある帯域のＣＳＩ（Channel  State  Information）測定の開始または停止に関する情報を含む下り制御情報を受信する受信部と、
前記ＣＳＩ測定の開始または停止に関する情報の受信後に、前記ある帯域におけるＣＳＩの測定を行い、前記測定の結果の送信を制御する制御部と、を有することを特徴とする端末。
【請求項２】
前記ある帯域は、下りリンクにおける異なる複数帯域のいずれかであることを特徴とする請求項１記載の端末。
【請求項３】
前記制御部は、前記ＣＳＩ測定の開始または停止に関する情報の受信後に、前記ある帯域の参照信号を受信し、前記参照信号を用いて前記ある帯域におけるＣＳＩの測定を行うことを特徴とする請求項１または請求項２に記載の端末。
【請求項４】
前記ある帯域に関する情報は、前記参照信号の周期を含む、ことを特徴とする請求項１から請求項３のいずれか一項に記載の端末。
【請求項５】
前記ＣＳＩ測定は、周期的ＣＳＩ測定であることを特徴とする請求項１から請求項４のいずれか一項に記載の端末。
【請求項６】
前記制御部は、前記下り制御情報が示すリソースで前記測定の結果を送信するように制御することを特徴とする請求項１から請求項５のいずれか一項に記載の端末。
【請求項７】
ある帯域に関する情報を上位レイヤシグナリングで端末宛てに送信し、前記ある帯域のＣＳＩ（Channel  State  Information）測定の開始または停止に関する情報を含む下り制御情報を前記端末宛てに送信する送信部と、
前記端末において前記ＣＳＩ測定の開始または停止に関する情報の受信後に行われた、前記ある帯域におけるＣＳＩの測定の結果を受信する受信部と、を有することを特徴とする基地局。
【請求項８】
ある帯域に関する情報を上位レイヤシグナリングで受信する工程と、
前記ある帯域のＣＳＩ（Channel  State  Information）測定の開始または停止に関する情報を含む下り制御情報を受信する工程と、
前記ＣＳＩ測定の開始または停止に関する情報の受信後に、前記ある帯域におけるＣＳＩの測定を行う工程と、
前記測定の結果の送信を制御する工程と、を有することを特徴とする、端末の無線通信方法。
【発明の詳細な説明】
【技術分野】
【０００１】
本発明は、次世代移動通信システムにおける端末、基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥアドバンスト（以下、「ＬＴＥ−Ａ」と表す）、ＦＲＡ（Future  Radio  Access）などともいう）も検討されている。
【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている（非特許文献２）。ＭＴＣ端末は、例えば電気メータ、ガスメータ、自動販売機、車両、その他産業機器などの幅広い分野への利用が考えられている。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TS  36.888  “Study  on  provision  of  low-cost  Machine-Type  Communications  (MTC)  User  Equipments  (UEs)  based  on  LTE  (Release  12)”
【発明の概要】
【発明が解決しようとする課題】
【０００５】
コストの低減及びセルラシステムにおけるカバレッジエリアの改善の観点から、ＭＴＣ端末の中でも、簡易なハードウェア構成で実現可能な低コストＭＴＣ端末（low-cost  MTC  UE）の需要が高まっている。低コストＭＴＣ端末は、上りリンク（ＵＬ）及び下りリンク（ＤＬ）の使用帯域を、システム帯域（例えば、１コンポーネントキャリア）の一部に制限することで実現される。
【０００６】
しかしながら、使用帯域となる狭帯域（例えば、１．４ＭＨｚ）の候補が、システム帯域内で複数設定される場合、これら複数の狭帯域それぞれに関するチャネル状態情報（ＣＳＩ：Channel  State  Information）の測定及び報告が必要である。しかしながら、各サブフレームでは、１つの狭帯域に対するＣＳＩの測定しか実施できないため、効率的なＣＳＩの測定及び報告の方法を確立する必要がある。
【０００７】
本発明はかかる点に鑑みてなされたものであり、使用帯域がシステム帯域の一部の狭帯域に制限される場合であっても、複数の狭帯域のＣＳＩを適切に測定及び／又は報告することができる端末、基地局及び無線通信方法を提供することを目的とする。
【課題を解決するための手段】
【０００８】
本発明の一態様に係る端末は、ある帯域に関する情報を上位レイヤシグナリングで受信し、前記ある帯域のＣＳＩ（Channel  State  Information）測定の開始または停止に関する情報を含む下り制御情報を受信する受信部と、前記ＣＳＩ測定の開始または停止に関する情報の受信後に、前記ある帯域におけるＣＳＩの測定を行い、前記測定の結果の送信を制御する制御部と、を有する。
【発明の効果】
【０００９】
本発明によれば、使用帯域がシステム帯域の一部の狭帯域に制限される場合であっても、複数の狭帯域のＣＳＩを適切に測定及び／又は報告することができる。
【図面の簡単な説明】
【００１０】
【図１】下りリンクのシステム帯域に対する狭帯域の配置例を示す図である。
【図２】ＭＴＣ端末におけるＰＤＳＣＨの割り当ての一例を示す図である。
【図３】第１の実施形態に係るＣＳＩ測定の一例を示す図である。
【図４】第３の実施形態に係るＣＳＩ測定要求に関する情報の一例を示す図である。
【図５】本発明の一実施形態に係る狭帯域セットの一例を示す図である。
【図６】第３の実施形態に係るＣＳＩ測定要求に基づく動作の一例を示す図である。
【図７】第３の実施形態に係るＣＳＩ測定要求に基づく動作の異なる一例を示す図である。
【図８】本発明の一実施形態に係るＣＳＩ要求に関する情報の一例を示す図である。
【図９】本発明の一実施形態に係る無線通信システムの概略構成図である。
【図１０】本発明の一実施形態に係る無線基地局の全体構成の一例を示す図である。
【図１１】本発明の一実施形態に係る無線基地局の機能構成の一例を示す図である。
【図１２】本発明の一実施形態に係るユーザ端末の全体構成の一例を示す図である。
【図１３】本発明の一実施形態に係るユーザ端末の機能構成の一例を示す図である。
【発明を実施するための形態】
【００１１】
ＭＴＣ端末の低コスト化のために、ピークレートの減少、リソースブロックの制限、受信ＲＦ制限によって端末の処理能力を抑えることが検討されている。例えば、下りデータチャネル（ＰＤＳＣＨ：Physical  Downlink  Shared  Channel）を用いたユニキャスト送信で最大トランスポートブロックサイズが１０００ビット、下りデータチャネルを用いたＢＣＣＨ送信で最大トランスポートブロックサイズが２２１６ビットに制限される。また、下りデータチャネルの帯域幅が６リソースブロック（ＲＢ（Resource  Block）、ＰＲＢ（Physical  Resource  Block）ともいう）に制限される。さらに、ＭＴＣ端末における受信ＲＦが１に制限される。
【００１２】
また、低コストＭＴＣ端末（ＬＣ（Low-Cost）−ＭＴＣ  ＵＥ）は、既存のユーザ端末よりもトランスポートブロックサイズ、リソースブロックが制限されるため、ＬＴＥのＲｅｌ−８〜Ｒｅｌ−１１セルには接続できない。このため、低コストＭＴＣ端末は報知信号によってアクセス許可が通知されているセルのみに接続される。さらに、下りデータ信号だけでなく、下りリンクで送信される各種制御信号（システム情報、下り制御情報）や、上りリンクで送信されるデータ信号や各種制御信号についても、規定の狭帯域（例えば、１．４ＭＨｚ）に制限することが考えられている。
【００１３】
このように帯域が制限されたＭＴＣ端末は、既存のユーザ端末との関係を考慮してＬＴＥのシステム帯域で動作させる必要がある。例えば、システム帯域において、帯域が制限されたＭＴＣ端末と帯域が制限されない既存のユーザ端末との間で、周波数多重がサポートされる。また、帯域が制限されたユーザ端末は、上りリンクと下りリンクにおいて、所定の狭帯域のＲＦのみがサポートされる。ここで、ＭＴＣ端末は、サポートする最大の帯域がシステム帯域の一部の狭帯域である端末であり、既存のユーザ端末は、サポートする最大の帯域がシステム帯域（例えば、２０ＭＨｚ）である端末である。
【００１４】
すなわち、ＭＴＣ端末の使用帯域の上限は狭帯域に制限され、既存のユーザ端末の使用帯域の上限はシステム帯域に設定される。ＭＴＣ端末は、狭帯域を基準として設計されているため、ハードウェア構成を簡略化して、既存のユーザ端末よりも処理能力が抑えられている。なお、ＭＴＣ端末は、低コストＭＴＣ端末（ＬＣ−ＭＴＣ  ＵＥ）、ＭＴＣ  ＵＥなどと呼ばれてもよい。既存のユーザ端末は、ノーマルＵＥ、ｎｏｎ−ＭＴＣ  ＵＥ、Ｃａｔｅｇｏｒｙ  １  ＵＥなどと呼ばれてもよい。
【００１５】
ここで、図１を参照して、下りリンクにおけるシステム帯域に対する狭帯域の配置について説明する。図１Ａに示すように、ＭＴＣ端末の使用帯域が、既存のＬＴＥ帯域（例えば、２０ＭＨｚ）の一部の狭帯域（例えば、１．４ＭＨｚ）に制限されている。狭帯域がシステム帯域の所定の周波数位置に固定されると、トラヒックが中心周波数に集中してしまう。また、周波数ダイバーシチ効果が得られないため、周波数利用効率が低下するおそれがある。
【００１６】
一方で、図１Ｂに示すように、使用帯域となる狭帯域の周波数位置をシステム帯域内で変化可能な構成とすれば、ＭＴＣ端末に対するトラヒックオフロードや、周波数ダイバーシチ効果が実現でき、周波数利用効率の低下を抑制することができる。したがって、ＭＴＣ端末は、周波数ホッピング、周波数スケジューリングの適用を考慮して、ＲＦの再調整（retuning）機能を有することが好ましい。
【００１７】
ところで、ＭＴＣ端末は、１．４ＭＨｚの狭帯域のみしかサポートしていないため、広帯域のＰＤＣＣＨで送信される下り制御情報（ＤＣＩ：Downlink  Control  Information）を検出できない。そこで、ＭＴＣ端末に対しては、ＥＰＤＣＣＨ（Enhanced  Physical  Downlink  Control  Channel）を用いて、下り（ＰＤＳＣＨ）と上り（ＰＵＳＣＨ：Physical  Uplink  Shared  Channel）のリソース割り当てを行うと考えられる。
【００１８】
図２は、ＭＴＣ端末におけるＰＤＳＣＨの割り当ての一例を示す図である。図２のように、ＥＰＤＣＣＨは所定の狭帯域に割り当てられる。ＥＰＤＣＣＨが割り当てられる周波数位置に関する情報は、上位レイヤシグナリング（例えば、ＲＲＣシグナリング、ＭＡＣシグナリング、報知信号など）で通知されてもよいし、予めユーザ端末に設定されていてもよい。
【００１９】
ＥＰＤＣＣＨはＰＤＳＣＨの割り当てリソースに関するＤＣＩを含む。ユーザ端末に対しては、下り信号（例えば、ＰＤＳＣＨ）を割り当て可能な無線リソースの候補（狭帯域セット、ＰＤＳＣＨセット、ＥＰＤＣＣＨセットなどともいう）が上位レイヤシグナリングで通知され、ＤＣＩに基づいてＰＤＳＣＨセットの１つが動的に指定される。例えば、図２では、ユーザ端末は、ＥＰＤＣＣＨが送信された次のサブフレームで、ＤＣＩに基づいて受信すべきＰＤＳＣＨセットを把握し、ＰＤＳＣＨの受信を行う。なお、ＰＤＳＣＨの受信はＥＰＤＣＣＨの受信と同じサブフレームでされてもよい。
【００２０】
ユーザ端末は、ＥＰＤＣＣＨによって特定される割り当てリソースでＰＤＳＣＨを受信する。例えば、ＤＣＩのリソース割り当てフィールド（ＲＡ(Resource  Allocation)  field）によって、受信すべきＰＤＳＣＨに含まれるＰＲＢを特定することができる。ここで、ＲＡフィールドのサイズは削減することが可能であり、その場合でも周波数スケジューリングゲインを維持することができる。
【００２１】
ところで、周波数スケジューリングを適用するためには、複数の狭帯域（例えば、１．４ＭＨｚ）からなる周波数ブロックに対するチャネル状態情報（ＣＳＩ：Channel  State  Information）の測定及び報告が必要である。しかしながら、各サブフレームでは、１つの狭帯域に対するＣＳＩの測定しか実施できないため、１．４ＭＨｚを超える広帯域（又は複数の１．４ＭＨｚの周波数ブロック）に対するＣＳＩの測定法を確立する必要がある。
【００２２】
また、ＬＣ−ＭＴＣ端末に対して、周期的にＣＳＩを測定させることは、ユーザ端末における消費電力増大を引き起こすという課題がある。さらに、トラヒック頻度の少ないＬＣ−ＭＴＣ端末に対して、ＰＵＣＣＨ（Physical  Uplink  Control  Channel）を用いて周期的にＣＳＩを報告させることは、上りリンクの伝送効率低下や、ユーザ端末における消費電力増大を引き起こすという課題がある。
【００２３】
そこで、本発明者らは、狭帯域のＣＳＩ測定に関する情報を用いて、各狭帯域のＣＳＩ測定の実施タイミングを制御することを検討し、本発明に至った。
【００２４】
本発明の一態様においては、ＰＤＣＣＨ／ＥＰＤＣＣＨで送信される下り制御信号の受信をトリガーとして、ＣＳＩの測定を開始する。これにより、ユーザ端末が長期間周期的にＣＳＩを測定（及び周波数retuning）する必要はなく、効率的にＣＳＩを測定及び報告できるため、周波数スケジューリングの適用を容易にすることができる。
【００２５】
本発明に係る狭帯域のＣＳＩ測定に関する情報として、狭帯域のＣＳＩサブフレームセットに関する情報（第１の実施形態）、狭帯域の周期的ＣＳＩ測定の開始又は停止に関する情報（第２の実施形態）、狭帯域のＣＳＩ測定要求（第３の実施形態）について、以下で説明する。ここでは、使用帯域が狭帯域に制限されたユーザ端末としてＭＴＣ端末を例示するが、本発明の適用はＭＴＣ端末に限定されない。また、狭帯域を６ＰＲＢ（１．４ＭＨｚ）として説明するが、他の狭帯域であっても、本明細書に基づいて本発明を適用することができる。
【００２６】
＜第１の実施形態＞
本発明の第１の実施形態では、各狭帯域においてＣＳＩを測定するためのサブフレーム群を示すサブフレームセット（ＣＳＩメジャメントサブフレームセット）を、ユーザ端末に対して設定する。ユーザ端末は、受信したサブフレームセットに属するサブフレーム（ＣＳＩサブフレーム）で、ＣＳＩを測定する。ここで、ＣＳＩメジャメントサブフレームは、各狭帯域で異なるように設定されることが好ましい。なお、ＣＳＩメジャメントサブフレームセットは、ＣＳＩサブフレームセットと呼ばれてもよい。
【００２７】
狭帯域のＣＳＩサブフレームセットに関する情報は、無線基地局からユーザ端末に上位レイヤシグナリング（例えば、ＲＲＣシグナリング、ＭＡＣシグナリング、報知信号など）で通知される。なお、ＣＳＩサブフレームセットが予めユーザ端末及び無線基地局共通で設定される場合には、通知されなくてもよい。
【００２８】
狭帯域のＣＳＩサブフレームセットに関する情報は、例えば、ＣＳＩサブフレームの設定対象となる周波数情報（例えば、狭帯域を特定する情報）、ＣＳＩサブフレームのタイミング情報（例えば、ＣＳＩサブフレームの周期、サブフレームオフセット、サブフレーム番号、サブフレーム位置などの情報）を含んでもよい。ＣＳＩサブフレームのタイミング情報は、例えばＣＳＩサブフレームを‘１’、ＣＳＩサブフレーム以外のサブフレームを‘０’で示したビットマップであってもよい。当該ビットマップの長さとして、例えば、２０、４０、６０、８０ビットなどを用いてもよいが、これらに限られるものではない。
【００２９】
なお、狭帯域のＣＳＩサブフレームセットに関する情報は、制御信号（例えば、ＤＣＩ（Downlink  Control  Information））で通知されてもよい。狭帯域のＣＳＩサブフレームセットに関する情報は、別途上位レイヤシグナリングなどで通知される情報に関連付けられる値としてもよい。また、複数の狭帯域のＣＳＩサブフレームセットに関する情報は、１つのシグナリングに含めて通知されてもよい。
【００３０】
図３は、第１の実施形態に係るＣＳＩ測定の一例を示す図である。図３には、ユーザ端末に設定される狭帯域として、２つの下り帯域（ＤＬ  ＢＷ  ＃１、ＤＬ  ＢＷ  ＃２）が示されている。また、各狭帯域に対応するＣＳＩサブフレームセットとして、それぞれＣＳＩ  ｓｕｂｆｒａｍｅ  ｓｅｔ  ＃１及びＣＳＩ  ｓｕｂｆｒａｍｅ  ｓｅｔ  ＃２が設定されている。図３におけるＣＳＩサブフレームは、同じタイミングで異なる狭帯域の測定を行わないように、異なるサブフレームオフセットを適用されている。また、図３では、ＣＳＩサブフレーム周期は、各狭帯域で同じ周期（２０サブフレーム）であるが、これに限られず、例えば別の狭帯域のＣＳＩサブフレーム周期の整数倍としてもよい。
【００３１】
ＣＳＩサブフレームに基づくＣＳＩ測定は、ＣＲＳ（Cell-specific  Reference  Signal）ベースでＣＳＩを測定する送信モード（例えば、送信モード４）及びＤＭ−ＲＳ（Demodulation  Reference  Signal）ベースでＣＳＩを測定する送信モード（例えば、送信モード７〜９）の両方に適用可能である。
【００３２】
以上、第１の実施形態によれば、ＣＳＩサブフレームセットを適切に設定することにより、ユーザ端末における無駄なＣＳＩ測定を省くことができ、消費電力増大を抑制することができる。
【００３３】
なお、第１の実施形態では、ユーザ端末は、測定したＣＳＩを、ＵＬグラントに基づいて上り狭帯域によりＰＵＳＣＨを用いて報告することが好ましい。これにより、ＰＵＣＣＨを用いた周期的ＣＳＩ報告に比べて、上りリンクの伝送効率低下や、ユーザ端末における消費電力増大を抑制することができる。なお、当該ＵＬグラントとしては、所定の狭帯域に関するＣＳＩ要求を含む構成としてもよい。当該構成については、後述する。
【００３４】
また、第１の実施形態で考慮すべき別の問題について説明する。広帯域（複数の狭帯域）の通信を同時に行うことができる通常のユーザ端末であれば、ある狭帯域のＣＳＩサブフレームのタイミングにおいて、別の狭帯域でデータ送受信を行うことができる。しかしながら、１つの狭帯域でのみ通信可能なユーザ端末（例えば、ＭＴＣ端末）は、このような同時通信が行えないため、ある狭帯域のＣＳＩサブフレームのタイミングにおいて、別の狭帯域でデータ送受信が生じる場合の動作を規定する必要がある。
【００３５】
ユーザ端末は、ＣＳＩサブフレームと同じタイミングでデータ送信又は受信を行うよう指示された場合、当該ＣＳＩサブフレームにおけるＣＳＩ測定をスキップして（行わず）、指示されたデータ送信又は受信を実施する構成としてもよい。例えば、ある狭帯域におけるＣＳＩサブフレームと同じタイミングでＰＤＳＣＨがトリガーされている場合、当該サブフレームではＰＤＳＣＨ受信を優先して行ってもよい。また、ユーザ端末は、ＣＳＩサブフレームでデータ送信又は受信を行うよう指示された場合であっても、当該サブフレームにおけるＣＳＩ測定を実施する構成としてもよい。
【００３６】
また、無線基地局は、ユーザ端末にデータ送信又は受信を行わせたいサブフレームが、当該ユーザ端末に設定されたＣＳＩサブフレームに該当すると判断すると、ＣＳＩサブフレームにおける当該データ送信又は受信をスケジューリングしない構成としてもよい。また、ユーザ端末にＣＳＩサブフレームにおけるデータ（ＰＤＳＣＨ）受信をスケジューリングした場合であっても、無線基地局は、所定の狭帯域のＣＳＩサブフレームのタイミングで、別の狭帯域のＰＤＳＣＨ送信を中断（サスペンド）してもよい。例えば、ＣＳＩサブフレームを含む複数サブフレームでＰＤＳＣＨを中断してもよい。
【００３７】
＜第２の実施形態＞
本発明の第２の実施形態では、各狭帯域の周期的ＣＳＩ測定（periodic  CSI  measurement）の開始又は停止を、動的な制御信号によりユーザ端末に通知する。ユーザ端末は、周期的ＣＳＩ測定の開始を指示された狭帯域について周期的ＣＳＩ測定を実施し、停止を指示された狭帯域について周期的ＣＳＩ測定を停止する。
【００３８】
狭帯域の周期的ＣＳＩ測定の開始又は停止に関する情報は、無線基地局からユーザ端末に制御信号（例えば、ＤＣＩ）で通知される。例えば、当該情報は、従来のＤＣＩに含まれるフィールドを読み替える構成としてもよいし、新しくフィールドを設ける構成としてもよい。周期的ＣＳＩ測定の開始／停止の指示に関する情報は、例えば、測定の開始を‘１’、測定の停止を‘０’で表す１ビットの情報を含んでもよい。
【００３９】
また、狭帯域の周期的ＣＳＩ測定の開始又は停止に関する情報は、さらに、周期的ＣＳＩ測定の設定対象となる周波数情報、ＣＳＩサブフレームのタイミング情報（例えば、ＣＳＩサブフレームの周期、サブフレームオフセット、サブフレーム番号、サブフレーム位置などの情報）、周期的ＣＳＩ測定の継続時間情報などを含んでもよい。
【００４０】
なお、狭帯域の周期的ＣＳＩ測定の開始又は停止に関する情報は、上位レイヤシグナリング（例えば、ＲＲＣシグナリング、ＭＡＣシグナリング、報知信号など）で通知されてもよい。また、狭帯域の周期的ＣＳＩ測定の開始又は停止に関する情報は、別途上位レイヤシグナリングなどで通知される情報に関連付けられる値としてもよい。また、複数の狭帯域の周期的ＣＳＩ測定の開始又は停止に関する情報は、１つのシグナリングに含めて通知されてもよい。
【００４１】
ユーザ端末は、第１の実施形態で述べた狭帯域のＣＳＩサブフレームセットに関する情報を用いて、狭帯域の周期的ＣＳＩ測定に関する情報を取得してもよい。この場合、狭帯域の周期的ＣＳＩ測定の開始又は停止に関する情報は、狭帯域のＣＳＩサブフレームセットに基づく測定の開始／停止を制御するために用いられてもよい。これにより、第１の実施形態に係る測定を動的に制御することができるため、ある狭帯域のＣＳＩサブフレームのタイミングにおいて、別の狭帯域でデータ送受信が生じる際の上述した問題を解消することが可能である。例えば、ある狭帯域でデータ送受信が生じるサブフレームと、ＣＳＩサブフレームが同じにならないように、周期的ＣＳＩ測定を制御することができる。
【００４２】
ユーザ端末は、受信した狭帯域の周期的ＣＳＩ測定の開始に関する情報が、周期的ＣＳＩ測定の継続時間情報を含む場合、当該継続時間だけ周期的ＣＳＩ測定を実施し、継続時間経過後は周期的ＣＳＩ測定を停止する構成としてもよい。
【００４３】
以上、第２の実施形態によれば、ＰＤＣＣＨ／ＥＰＤＣＣＨで送信される周期的ＣＳＩ測定の実施を制御する制御信号により、ユーザ端末における無駄なＣＳＩ測定を省くことができ、消費電力増大を抑制することができる。
【００４４】
なお、第２の実施形態では、ユーザ端末は、測定したＣＳＩを、ＵＬグラントに基づいて上り狭帯域によりＰＵＳＣＨを用いて報告することが好ましい。これにより、ＰＵＣＣＨを用いた周期的ＣＳＩ報告に比べて、上りリンクの伝送効率低下や、ユーザ端末における消費電力増大を抑制することができる。
【００４５】
＜第３の実施形態＞
本発明の第３の実施形態では、各狭帯域に対するＣＳＩ測定要求（CSI  measurement  request）を、動的な制御信号によりユーザ端末に通知する。従来、非周期ＣＳＩ測定（aperiodic  CSI  measurement）では、ＵＬグラントなどに含まれるＣＳＩ要求（CSI  request）をトリガーとして、ユーザ端末が過去に測定したＣＳＩを報告していた。一方、第３の実施形態では、ユーザ端末は、ＣＳＩ測定要求を含む制御信号の受信を契機として、所定の狭帯域でＣＳＩ測定を実施して、測定したＣＳＩを報告する。
【００４６】
狭帯域のＣＳＩ測定要求は、無線基地局からユーザ端末に制御信号（例えば、ＤＣＩ）で通知される。例えば、当該情報は、ＤＣＩにＣＳＩ測定要求のためのフィールド（ＣＳＩ測定要求フィールド）を含めることで通知してもよい。なお、ＣＳＩ測定要求フィールドは、従来のＤＣＩに含まれるフィールドを読み替える構成としてもよいし、新しくフィールドを設ける構成としてもよい。
【００４７】
ＣＳＩ測定要求は、例えば、所定の狭帯域におけるＣＳＩ測定及び報告をトリガーすることを指示してもよい。この場合、ＵＬグラントを用いてＣＳＩ測定要求を通知することができる。なお、当該ＣＳＩ測定要求は、ＣＳＩ測定報告要求と呼ばれてもよい。
【００４８】
また、ＣＳＩ測定要求は、例えば、所定の狭帯域におけるＣＳＩ測定をトリガーすることを指示するだけでもよい。この場合、ＤＬアサインメント（ＤＬグラント）を用いてＣＳＩ測定要求を通知することができる。
【００４９】
図４は、第３の実施形態に係るＣＳＩ測定要求に関する情報の一例を示す図である。図４Ａは、ＵＬグラントに含まれるＣＳＩ測定要求フィールドの一例を示し、図４Ｂは、ＤＬアサインメントに含まれるＣＳＩ測定要求フィールドの一例を示す。
【００５０】
図４Ａ及び図４Ｂは、図４ＡがＣＳＩ測定及び報告の指示情報であるのに対し、図４ＢはＣＳＩ測定のみの指示情報である点が異なる。また、図４では、ＣＳＩ測定要求フィールドが“００”の場合、ＣＳＩ測定（及び報告）がトリガーされないことを示し、“０１”〜“１１”の場合、上位レイヤで設定された狭帯域セット（第１、第２、第３の狭帯域セット）からいずれかの狭帯域セットについて、ＣＳＩ測定（及び報告）がトリガーされることを示す。
【００５１】
図５は、本発明の一実施形態に係る狭帯域セットの一例を示す図である。図５Ａは、セットに含まれる狭帯域の候補の一例を示している。図５Ａの場合、ユーザ端末に設定される狭帯域として、２つの下り帯域（ＤＬ  ＢＷ  ＃１、ＤＬ  ＢＷ  ＃２）が示されている。図５Ｂは、狭帯域セット（Reduced  UE  BW  set）と狭帯域との上位レイヤで設定される対応関係の一例を示している。図５Ｂの場合、第１の狭帯域セットはＤＬ  ＢＷ  ＃１に対応し、第２の狭帯域セットはＤＬ  ＢＷ  ＃２に対応し、第３の狭帯域セットはＤＬ  ＢＷ  ＃１及びＤＬ  ＢＷ  ＃２に対応する。このように、１つの狭帯域セットには、複数の狭帯域が関連付けられてもよい。
【００５２】
なお、図４では、ＣＳＩ測定要求フィールドが２ビットで表現される場合を例に示したが、これに限られず、１ビットや、３ビット以上で表されてもよい。また、図５では狭帯域セットの内容は上位レイヤシグナリング（例えば、ＲＲＣシグナリング）で設定されるものとしたが、これに限られない。例えば、狭帯域セットと、当該狭帯域セットが示す狭帯域との対応関係と、が予め設定される構成としてもよい。また、狭帯域の候補の数は、２に限られない。
【００５３】
第３の実施形態においては、上述したＣＳＩ測定要求を含むＵＬグラント又はＤＬアサインメントを利用して、ユーザ端末は以下の（１）〜（３）のような方法でＣＳＩ測定及び報告を行う。
（１）ＵＬグラントで通知されるＣＳＩ測定要求に従って、ＣＳＩ測定を実施後、測定したＣＳＩを上記ＵＬグラントが示す上りリソースを用いて報告する。
（２）ＵＬグラントで通知されるＣＳＩ測定要求に従って、過去に測定したＣＳＩを上記ＵＬグラントが示す上りリソースを用いて報告する。また、報告後、上記ＣＳＩ測定要求に従って、ＣＳＩ測定を実施する。
（３）ＤＬアサインメントで通知されるＣＳＩ測定要求に従って、ＣＳＩ測定を実施する。測定したＣＳＩは、別途通知されるＵＬグラント（例えば、ＣＳＩ要求を含む）に従って報告する。
【００５４】
方法（１）によれば、ＣＳＩ報告について遅延を許容して、ユーザ端末における無駄なＣＳＩ測定を省くことができ、消費電力増大を抑制することができる。また、方法（２）によれば、測定に係る遅延なく過去の最新の測定結果を含んだＣＳＩ報告を行うことができるとともに、無駄なＣＳＩ測定を省くことができる。また、上述の方法（３）によれば、ＣＳＩ測定のみを実施させることができるため、上りリンクの伝送効率低下をさらに抑制することができるとともに、無駄なＣＳＩ測定を省くことができる。
【００５５】
まず、方法（１）について具体的な例を用いて説明する。図６は、第３の実施形態に係るＣＳＩ測定要求に基づく動作の一例を示す図である。図６には、図３と同様に２つの狭帯域（ＤＬ  ＢＷ  ＃１、ＤＬ  ＢＷ  ＃２）が示されており、ＤＬ  ＢＷ  ＃１でＵＬグラントによりＣＳＩ測定要求が通知される。図６の期間Ｐ１１、Ｐ１２及びＰ１３を用いて、異なる内容のＣＳＩ測定要求について説明する。
【００５６】
Ｐ１１では、ユーザ端末は、ＤＬ  ＢＷ  ＃２のＣＳＩ測定要求が含まれるＵＬグラントを受信したため、周波数切り替え（RF  retuning）を行って、ＢＷ  ＃２のＣＳＩ測定を行う。測定したＣＳＩは、上記ＵＬグラントに基づいて、サブフレーム番号ｎ＋ｋ＋αで上り狭帯域により、ＰＵＳＣＨを用いて報告される。なお、図６及び後述の図７では、図示しない上り狭帯域でＣＳＩ報告を行うものとするが、上り狭帯域としては、図示される下り狭帯域のいずれかと対応した周波数が用いられてもよい。
【００５７】
ここで、ｎは、当該ＵＬグラントを検出したサブフレーム番号であり、ｋは、所定の数（例えば、４）であり、αは、ＣＳＩ測定要求に関連する処理に基づく値である。例えば、αは、ＲＦリチューニングにかかる時間（例えば、１ｍｓ）や、ＣＳＩ測定にかかる時間（例えば、４ｍｓ）、ＵＬ信号の生成にかかる時間（例えば、４ｍｓ）などを考慮して算出される。なお、当該αに関する情報は、ＤＣＩに含まれて通知されてもよいし、上位レイヤシグナリング（ＲＲＣシグナリング、ＭＡＣシグナリング、報知信号など）で通知されてもよい。また、αは予め規定されてもよい。
【００５８】
Ｐ１２では、ユーザ端末は、ＤＬ  ＢＷ  ＃１のＣＳＩ測定要求が含まれるＵＬグラントを受信したため、ＢＷ  ＃１のＣＳＩ測定を行う。ＵＬグラントの受信とＣＳＩ測定対象が同じ帯域のため、周波数切り替えの必要はない。測定したＣＳＩは、Ｐ１１で上述した例と同様に報告される（不図示）。
【００５９】
Ｐ１３では、ユーザ端末は、ＤＬ  ＢＷ  ＃１及びＤＬ  ＢＷ  ＃２のＣＳＩ測定要求が含まれるＵＬグラントを受信したため、ＢＷ  ＃１のＣＳＩ測定を行い、さらに周波数切り替えを行って、ＢＷ  ＃２のＣＳＩ測定を行う（不図示）。測定した各ＣＳＩは、１サブフレーム内でまとめて報告されてもよいし、別々のサブフレームで報告されてもよい。
【００６０】
次に、方法（２）について具体的な例を用いて説明する。図７は、第３の実施形態に係るＣＳＩ測定要求に基づく動作の異なる一例を示す図である。図７は、ユーザ端末が図６と同様のＵＬグラントを受信した場合に、方法（１）ではなく方法（２）を用いて処理を行う例が示されている。
【００６１】
Ｐ２１では、ユーザ端末は、ＤＬ  ＢＷ  ＃２のＣＳＩ測定要求が含まれるＵＬグラントを受信したため、ＤＬ  ＢＷ  ＃２について過去に測定した（測定済みの）ＣＳＩがあるか否かを判断する。この時点では、ユーザ端末は、ＤＬ  ＢＷ  ＃２のＣＳＩを持たないため、ＣＱＩ（Channel  Quality  Indicator）  indexとして、０（ＯＯＲ（Out  of  Range）に対応する）を含めて、ＣＳＩ報告を行う。
【００６２】
当該ＣＳＩ報告は、上記ＵＬグラントに基づいて、サブフレーム番号ｎ＋ｋで上り狭帯域により、ＰＵＳＣＨを用いて行われる。ここで、ｎは、当該ＵＬグラントを検出したサブフレーム番号であり、ｋは、所定の数（例えば、４）である。ＣＳＩ報告後、ユーザ端末は、周波数切り替えを行って、ＢＷ  ＃２のＣＳＩ測定を行い、測定結果を保持する。
【００６３】
Ｐ２２では、ユーザ端末は、ＤＬ  ＢＷ  ＃１のＣＳＩ測定要求が含まれるＵＬグラントを受信したため、ＤＬ  ＢＷ  ＃１について測定済みのＣＳＩがあるか否かを判断する。この時点では、ユーザ端末は、ＤＬ  ＢＷ  ＃１のＣＳＩを持たないため、ＣＱＩ  indexとして０を含めて、ＣＳＩ報告を行う（不図示）。当該ＣＳＩ報告は、Ｐ２１で上述した例と同様に行われる。また、ＣＳＩ報告後、ユーザ端末は、ＢＷ  ＃１のＣＳＩ測定を行い、測定結果を保持する。
【００６４】
Ｐ２３では、ユーザ端末は、ＤＬ  ＢＷ  ＃１及びＤＬ  ＢＷ  ＃２のＣＳＩ測定要求が含まれるＵＬグラントを受信したため、これら複数の狭帯域について測定済みのＣＳＩがあるか否かを判断する。この時点では、ユーザ端末は、両方の狭帯域のＣＳＩを既に保持しているため、これらのＣＳＩを、上記ＵＬグラントに基づいて報告する（不図示）。また、ＣＳＩ報告後、ユーザ端末は、ＢＷ  ＃１及びＢＷ  ＃２のＣＳＩ測定を行い、測定結果をそれぞれ保持（又は更新）する。
【００６５】
なお、ユーザ端末は、複数の狭帯域のＣＳＩ測定要求を受けた場合に、一部又は全部の狭帯域でＣＳＩ結果を保持しない場合には、当該一部又は全部の狭帯域についてＣＱＩ  indexとして０を含めて、ＣＳＩ報告を行うことができる。
【００６６】
次に、方法（３）について説明する。ユーザ端末は、所定の狭帯域についてのＣＳＩ測定要求が含まれるＤＬアサインメントを受信すると、必要に応じて周波数切り替えを行って、上記所定の狭帯域のＣＳＩ測定を実施して、測定結果を保持（又は更新）する。ユーザ端末は、その後当該所定の狭帯域のＣＳＩ要求が含まれるＵＬグラントを受信すると、保持しているＣＳＩを、当該ＵＬグラントに基づいて報告する。
【００６７】
なお、所定の狭帯域のＣＳＩ測定を行う前に、当該所定の狭帯域のＣＳＩ要求が含まれるＵＬグラントを受信した場合、ＣＱＩ  indexとして０を含めて、ＣＳＩ報告を行うことができる。また、測定を指示するＤＣＩと報告を指示するＤＣＩとは、フォーマットが異なっていてもよい。
【００６８】
以上、第３の実施形態によれば、ＣＳＩ測定要求に基づく制御により、各狭帯域におけるＣＳＩ測定の回数を低減できるとともに、ＣＳＩ測定及び／又はＣＳＩ報告を、柔軟に制御することができる。
【００６９】
なお、上記各実施形態において、狭帯域のＣＳＩ測定報告のために、所定の狭帯域のＣＳＩ要求が含まれるＵＬグラントが用いられてもよい。図８は、本発明の一実施形態に係るＣＳＩ要求に関する情報の一例を示す図である。図８では、ＵＬグラントに含まれるＣＳＩ要求フィールドが“００”の場合、ＣＳＩ報告がトリガーされないことを示し、“０１”〜“１１”の場合、上位レイヤで設定された狭帯域セット（第１、第２、第３の狭帯域セット）からいずれかの狭帯域セットについて、ＣＳＩ及び報告がトリガーされることを示す。なお、当該ＣＳＩ要求フィールドは、従来のＤＣＩに含まれるフィールドを読み替える構成としてもよいし、新しくフィールドを設ける構成としてもよい。
【００７０】
また、所定のＤＣＩフォーマットに含まれる所定のフィールドが、所定の狭帯域に関するＣＳＩ測定要求フィールド、所定の狭帯域に関するＣＳＩ要求フィールド、既存のＣＳＩ要求フィールドのいずれを意味するかについては、ユーザ端末に対して上位レイヤシグナリング（例えば、ＲＲＣシグナリング、ＭＡＣシグナリング、報知信号など）で通知されてもよい。例えば、ユーザ端末は、ＲＲＣシグナリングに基づいて、所定のフィールドをＣＳＩ測定要求フィールドとして把握するように構成されてもよい。
【００７１】
＜無線通信システム＞
以下、本発明の一実施形態に係る無線通信システムの構成について説明する。この無線通信システムでは、上述した本発明の実施形態に係る無線通信方法が適用される。なお、上記の各実施形態に係る無線通信方法は、それぞれ単独で適用されてもよいし、組み合わせて適用されてもよい。ここでは、狭帯域に使用帯域が制限されたユーザ端末としてＭＴＣ端末を例示するが、ＭＴＣ端末に限定されるものではない。
【００７２】
図９は、本発明の一実施形態に係る無線通信システムの概略構成図である。図９に示す無線通信システム１は、マシン通信システムのネットワークドメインにＬＴＥシステムを採用した一例である。当該無線通信システム１では、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。また、ＬＴＥシステムが下りリンク及び上りリンク共に最大２０ＭＨｚのシステム帯域に設定されるものとするが、この構成に限られない。なお、無線通信システム１は、ＳＵＰＥＲ  ３Ｇ、ＬＴＥ−Ａ（LTE-Advanced）、ＩＭＴ−Ａｄｖａｎｃｅｄ、４Ｇ、５Ｇ、ＦＲＡ（Future  Radio  Access）などと呼ばれてもよい。
【００７３】
無線通信システム１は、無線基地局１０と、無線基地局１０に無線接続する複数のユーザ端末２０Ａ、２０Ｂ及び２０Ｃとを含んで構成されている。無線基地局１０は、上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。
【００７４】
複数のユーザ端末２０Ａ、２０Ｂ及び２０Ｃは、セル５０において無線基地局１０と通信を行うことができる。例えば、ユーザ端末２０Ａは、ＬＴＥ（Ｒｅｌ−１０まで）又はＬＴＥ−Ａｄｖａｎｃｅｄ（Ｒｅｌ−１０以降も含む）をサポートするユーザ端末（以下、ＬＴＥ端末）であり、他のユーザ端末２０Ｂ、２０Ｃは、マシン通信システムにおける通信デバイスとなるＭＴＣ端末である。以下、特に区別を要しない場合は、ユーザ端末２０Ａ、２０Ｂ及び２０Ｃは単にユーザ端末２０と呼ぶ。
【００７５】
なお、ＭＴＣ端末２０Ｂ、２０Ｃは、ＬＴＥ、ＬＴＥ−Ａなどの各種通信方式に対応した端末であり、電気メータ、ガスメータ、自動販売機などの固定通信端末に限らず、車両などの移動通信端末でもよい。また、ユーザ端末２０は、直に他のユーザ端末と通信してもよいし、無線基地局１０を介して他のユーザ端末と通信してもよい。
【００７６】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００７７】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）が伝送される。
【００７８】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００７９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブル（ＲＡプリアンブル）が伝送される。
【００８０】
図１０は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【００８１】
下りリンクにより無線基地局１０からユーザ端末２０に送信されるユーザデータは、上位局装置３０から伝送路インターフェース１０６を介してベースバンド信号処理部１０４に入力される。
【００８２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて各送受信部１０３に転送される。また、下り制御信号に関しても、チャネル符号化や逆高速フーリエ変換などの送信処理が行われて、各送受信部１０３に転送される。
【００８３】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、システム帯域幅（例えば、１コンポーネントキャリア）より制限された狭帯域幅（例えば、１．４ＭＨｚ）で、各種信号を送受信することができる。送受信部１０３は、本発明に係る技術分野での共通認識に基づいて説明されるトランスミッター／レシーバー、送受信回路又は送受信装置とすることができる。
【００８４】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【００８５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【００８６】
送受信部１０３は、例えば、ユーザ端末２０に対して、狭帯域のＣＳＩ測定に関する情報を送信する。また、送受信部１０３は、ＣＳＩ測定に関する情報に基づいて個別に測定された複数の狭帯域のＣＳＩを受信する。
【００８７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【００８８】
図１１は、本実施形態に係る無線基地局の機能構成の一例を示す図である。なお、図１１では、本実施形態における特徴部分の機能ブロックを主に示しており、無線基地局１０は、無線通信に必要な他の機能ブロックも有しているものとする。図１１に示すように、ベースバンド信号処理部１０４は、制御部（スケジューラ）３０１と、送信信号生成部（生成部）３０２と、マッピング部３０３と、受信信号処理部３０４と、を備えている。
【００８９】
制御部（スケジューラ）３０１は、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、システム情報、同期信号や、ＣＲＳ（Cell-specific  Reference  Signal）、ＣＳＩ−ＲＳ（Channel  State  Information  Reference  Signal）、ＤＭ−ＲＳ（Demodulation  Reference  Signal）などの下り参照信号のスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるランダムアクセスプリアンブルなどのスケジューリングを制御する。
【００９０】
制御部３０１は、各種信号を狭帯域に割り当ててユーザ端末２０に対して送信するように、送信信号生成部３０２及びマッピング部３０３を制御する。例えば、制御部３０１は、下りリンクのシステム情報（ＭＩＢ、ＳＩＢ）や、ＥＰＤＣＣＨ、ＰＤＳＣＨなどを狭帯域幅で送信するように制御する。
【００９１】
また、制御部３０１は、狭帯域のＣＳＩ測定に関する情報として、狭帯域のＣＳＩサブフレームセットに関する情報（第１の実施形態）、狭帯域の周期的ＣＳＩ測定の開始又は停止に関する情報（第２の実施形態）、狭帯域のＣＳＩ測定要求（第３の実施形態）などをユーザ端末２０に送信するように制御する。制御部３０１は、本発明に係る技術分野での共通認識に基づいて説明されるコントローラ、制御回路又は制御装置とすることができる。
【００９２】
制御部３０１は、接続中のユーザ端末２０が所定の狭帯域でＣＳＩを測定するサブフレームのタイミングで、別の狭帯域のＰＤＳＣＨ送信を行わないようにスケジューリングしてもよいし、別の狭帯域のＰＤＳＣＨ送信を中断（サスペンド）してもよい。
【００９３】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。例えば、ＤＬアサインメント及び／又はＵＬグラントには、狭帯域のＣＳＩ測定要求を含めることができる。
【００９４】
また、下りデータ信号には、各ユーザ端末２０からのチャネル状態情報（ＣＳＩ）などに基づいて決定された符号化率、変調方式などに従って符号化処理、変調処理が行われる。送信信号生成部３０２は、本発明に係る技術分野での共通認識に基づいて説明される信号生成器、信号生成回路又は信号生成装置とすることができる。
【００９５】
マッピング部３０３は、制御部３０１からの指示に基づいて、送信信号生成部３０２で生成された下り信号を、所定の狭帯域の無線リソース（例えば、最大６リソースブロック）にマッピングして、送受信部１０３に出力する。マッピング部３０３は、本発明に係る技術分野での共通認識に基づいて説明されるマッパー、マッピング回路又はマッピング装置とすることができる。
【００９６】
受信信号処理部３０４は、送受信部１０３から入力された受信信号に対して、受信処理（例えば、デマッピング、復調、復号など）を行う。ここで、受信信号は、例えば、ユーザ端末２０から送信されるＵＬ信号（送達確認信号（ＨＡＲＱ−ＡＣＫ）、ＰＵＳＣＨで送信されたデータ信号など）である。受信信号処理部３０４は、受信した情報を制御部３０１に出力する。
【００９７】
また、受信信号処理部３０４は、受信した信号を用いて受信電力（例えば、ＲＳＲＰ（Reference  Signal  Received  Power））、受信品質（例えば、ＲＳＲＱ（Reference  Signal  Received  Quality））やチャネル状態などについて測定してもよい。測定結果は、制御部３０１に出力されてもよい。受信信号処理部３０４は、本発明に係る技術分野での共通認識に基づいて説明される信号処理器、信号処理回路又は信号処理装置、並びに、測定器、測定回路又は測定装置から構成することができる。
【００９８】
図１２は、本実施形態に係るユーザ端末の全体構成の一例を示す図である。なお、ここでは詳細な説明を省略するが、通常のＬＴＥ端末がＭＴＣ端末として振る舞うように動作してもよい。ユーザ端末２０は、送受信アンテナ２０１と、アンプ部２０２と、送受信部２０３と、ベースバンド信号処理部２０４と、アプリケーション部２０５と、を備えている。なお、送受信部２０３は、送信部及び受信部から構成される。また、ユーザ端末２０は、送受信アンテナ２０１、アンプ部２０２、送受信部２０３などを複数備えてもよい。
【００９９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置とすることができる。
【０１００】
送受信部２０３は、無線基地局１０に対して、狭帯域のＣＳＩ測定に関する情報に基づいて後述の測定部４０５が個別に測定した複数の狭帯域のＣＳＩを送信する。また、送受信部２０３は、狭帯域のＣＳＩ測定に関する情報を受信する。
【０１０１】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１０２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１０３】
図１３は、本実施形態に係るユーザ端末の機能構成の一例を示す図である。なお、図１３においては、本実施形態における特徴部分の機能ブロックを主に示しており、ユーザ端末２０は、無線通信に必要な他の機能ブロックも有しているものとする。図１３に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１０４】
制御部４０１は、送信信号生成部４０２及びマッピング部４０３の制御を行う。制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。制御部４０１は、本発明に係る技術分野での共通認識に基づいて説明されるコントローラ、制御回路又は制御装置とすることができる。なお、制御部４０１は、測定部４０５と合わせて本発明に係る測定部を構成することができる。
【０１０５】
制御部４０１は、受信信号処理部４０４から入力される狭帯域のＣＳＩ測定に関する情報に基づいて、測定部４０５におけるＣＳＩ測定の実施と、送信信号生成部４０２及びマッピング部４０３におけるＣＳＩ報告の生成・送信と、を制御する。
【０１０６】
例えば、制御部４０１は、測定部４０５に対して、狭帯域のＣＳＩサブフレームセットに関する情報に基づいて、所定のＣＳＩサブフレームセットに属するサブフレームで、所定の狭帯域のＣＳＩを測定するように制御する（第１の実施形態）。
【０１０７】
また、制御部４０１は、測定部４０５に対して、狭帯域の周期的ＣＳＩ測定の開始又は停止に関する情報に基づいて、所定の狭帯域について周期的ＣＳＩ測定の実施（開始、停止）を制御する（第２の実施形態）。
【０１０８】
また、制御部４０１は、測定部４０５に対して、受信信号処理部４０４が狭帯域のＣＳＩ測定要求に関する情報を検出してから所定のタイミングで、所定の狭帯域のＣＳＩを１回測定するように制御する（第３の実施形態）。
【０１０９】
制御部４０１は、所定の狭帯域についてのＣＳＩ測定要求又はＣＳＩ要求が含まれるＵＬグラントに基づいて、当該所定の狭帯域で測定したＣＳＩ（例えば、測定済みの最新のＣＳＩ）を、当該ＵＬグラントに基づいて報告するように制御する。なお、制御部４０１は、ユーザ端末２０が測定済みのＣＳＩを有さない場合、ＣＱＩ  indexとして０を含めたＣＳＩ報告を行うように制御してもよい。
【０１１０】
また、制御部４０１は、ＣＳＩ測定要求又はＣＳＩ要求が示す報告対象の狭帯域を、上位レイヤシグナリングで設定された狭帯域セットに基づいて決定することができる。また、制御部４０１は、既存のＣＳＩ要求に基づいて、所定の狭帯域で測定したＣＳＩを報告するように制御してもよい。
【０１１１】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）に関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１１２】
マッピング部４０３は、制御部４０１からの指示に基づいて、送信信号生成部４０２で生成された上り信号を無線リソース（最大６リソースブロック）にマッピングして、送受信部２０３へ出力する。マッピング部４０３は、本発明に係る技術分野での共通認識に基づいて説明されるマッパー、マッピング回路又はマッピング装置とすることができる。
【０１１３】
受信信号処理部４０４は、送受信部２０３から入力された受信信号に対して、受信処理（例えば、デマッピング、復調、復号など）を行う。ここで、受信信号は、例えば、無線基地局１０から送信されるＤＬ信号（下り制御信号、ＰＤＳＣＨで送信された下りデータ信号など）である。
【０１１４】
受信信号処理部４０４は、受信した情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。受信信号処理部４０４は、本発明に係る技術分野での共通認識に基づいて説明される信号処理器、信号処理回路又は信号処理装置とすることができる。また、受信信号処理部４０４は、本発明に係る受信部を構成することができる。
【０１１５】
測定部４０５は、制御部４０１からの指示に基づいて、複数の狭帯域それぞれのＣＳＩを個別に測定する。また、測定部４０５は、受信した信号を用いて受信電力（ＲＳＲＰ）、受信品質（ＲＳＲＱ）などについて測定してもよい。なお、処理結果や測定結果は、制御部４０１に出力されてもよい。測定部４０５は、本発明に係る技術分野での共通認識に基づいて説明される測定器、測定回路又は測定装置とすることができる。
【０１１６】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１１７】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１１８】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１１９】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１２０】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１２１】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２２】
本出願は、２０１５年１月２３日出願の特願２０１５−０１１０４７に基づく。この内容は、全てここに含めておく。
【図１】
2020127246.tif 000003
【図２】
2020127246.tif 000004
【図３】
2020127246.tif 000005
【図４】
2020127246.tif 000006
【図５】
2020127246.tif 000007
【図６】
2020127246.tif 000008
【図７】
2020127246.tif 000009
【図８】
2020127246.tif 000010
【図９】
2020127246.tif 000011
【図１０】
2020127246.tif 000012
【図１１】
2020127246.tif 000013
【図１２】
2020127246.tif 000014
【図１３】
2020127246.tif 000015